(57)【要約】【課題】ガラス面に遊技球を衝突させることによるガラス面の損傷を防止し、また遊技者から遊技盤面上の釘の変化を容易に確認でき、また出没釘に比べて大きな釘障碍変化状態が得られその結果大きな遊技球の移動変化が得られ、興趣に優れたパチンコ機を提供するものである。【解決手段】遊技盤面１の障碍釘３が立設盤面１の水平方向に起立回動する回動障碍釘５，６、７，８を備えたことを特徴とするパチンコ機である。前記回動障碍釘５，６は、入賞口１３の入り口上部に遊技球が通過する間隔を隔てて２本対で設けた。また前記障碍釘５，６は、両方の障碍釘が互いに起立し、互いに傾倒する。また前記障碍釘は、一方が起立すると他方が傾倒し、一方が傾倒すると他方が起立する。また前記回動障碍釘は、入賞口の入り口上部に１本設け、水平方向の０度から起立状態の９０度、更に傾倒して水平状態の１８０度に回動する。【選択図】    図１
2004248929.tif 000002
【特許請求の範囲】
【請求項１】
遊技盤面の障碍釘が立設盤面の水平方向に起立回動する回動障碍釘を備えたことを特徴とするパチンコ機。
【請求項２】
前記立設盤面の水平方向に回動する回動障碍釘は、入賞口の入り口上部に遊技球が通過する間隔を隔てて２本対で設けたことを特徴とする請求項１記載のパチンコ機。
【請求項３】
前記入賞口の入り口上部に２本対で設けた障碍釘は、両方の障碍釘が互いに起立し、互いに傾倒することを特徴とする請求項１乃至２記載のパチンコ機。
【請求項４】
前記入賞口の入り口上部に２本対で設けた障碍釘は、一方が起立すると他方が傾倒し、一方が傾倒すると他方が起立することを特徴とする請求項１乃至２記載のパチンコ機。
【請求項５】
前記立設盤面の水平方向に回動する回動障碍釘は、入賞口の入り口上部に１本設け、水平方向の０度から起立状態の９０度に、更に傾倒して水平状態の１８０度に回動する回動障碍釘を備えたことを特徴とする請求項１記載のパチンコ機。
【請求項６】
前記立設盤面の水平方向に回動する回動障碍釘は、該回動障碍釘の先端が光るように光源を備えたことを特徴とする請求項１乃至５記載のパチンコ機。
【請求項７】
前記立設盤面の水平方向に回動する回動障碍釘は、該回動障碍釘にのれん状帯体を吊り下げるように設けたことを特徴とする請求項１乃至６記載のパチンコ機。
【請求項８】
前記立設盤面の水平方向に回動する回動障碍釘は、複数本の障碍釘からなり、同じように回動することを特徴とする請求項１乃至７記載のパチンコ機。
【請求項９】
前記立設盤面の水平方向に回動する回動障碍釘は、該回動障碍釘に遊技球を障碍する障碍固定板を設けたことを特徴とする請求項１乃至８記載のパチンコ機。
【発明の詳細な説明】
【０００１】
【発明の属する技術分野】
本発明はパチンコ機の遊技盤面に設ける障碍釘に関し、遊技盤面に対して水平方向に回動可能にして、遊技球が当接して弾発する際の意外性を高めたパチンコ機に関する。
【０００２】
【従来の技術】
立設したパチンコ機の遊技盤面には多数の障碍釘が打設されており、盤面の上部に発射された遊技球の落下位置を誘導したり、また盤面上を落下移動する遊技球の到達先、入賞口に向けて変化しながら落下する遊技球の運動が楽しめるように、多数の障碍釘が打設されている。これらの釘は遊技盤面に打設されており、細かな調整は釘をハンマーで叩いて行えるが、大きな釘パターン、遊技球落下移動パターンの変更は困難であった。
そこで遊技盤面の釘の一部を出没自在に設け、ゲーム中にこの出没釘を所定時間突出させたり引っ込ませたりして球の動きに変化を持たせるようにしたパチンコ機等も開示されている。
【０００３】
【特許文献１】
実開平５−５３６８７号公報
【特許文献２】
特開平２００１−２６９４４９号公報
【０００４】
【発明が解決しようとする課題】
上記文献の遊技盤面に出没する障碍釘は、ゲームとして遊技球が出没釘に当接したり、また当接しなかったりするので遊技球落下に変化が得られ、興趣が得られるものの、出没釘が遊技盤面に突出する際に、遊技盤面を落下する遊技球に釘の先端が衝突し、遊技球を前面ガラスに衝突させたり、ガラス面との間に遊技球を挟んでしまったりすることがある。その結果、遊技球がガラス面を破損させる問題があった。また盤面上に出没する釘は、盤面の正面から見る遊技者にとって、釘の出没状態が目立ち難く気付かない場合があり、遊技者にとっては興趣が今ひとつであった。また盤面から出没する釘の変化状態は、釘が有るか、釘が無いか、であって、遊技球が出没釘に当接するかしないかの変化であり、今一つ大きな興趣に欠ける面があった。
【０００５】
また遊技球の落下と同じ方向に回動起立する障碍釘を設けたパチンコ機においても、玉の落下と同じ方向に釘が回動するので、大きな遊技球の障碍変化が得られず、今ひとつ興趣に欠ける面があった。
本発明は上記の課題を解消して、ガラス面に遊技球を衝突させることによるガラス面の損傷を防止し、また遊技者から遊技盤面上の釘の変化を容易に確認でき、また出没釘に比べて大きな釘障碍変化状態が得られその結果大きな遊技球の移動変化が得られ、興趣に優れたパチンコ機を提供するものである。
【０００６】
【課題を解決するための手段】
本発明のパチンコ機は、遊技盤面の障碍釘が立設盤面の水平方向に起立回動する回動障碍釘を備えたことを特徴とするパチンコ機である。
即ち盤面と平行な盤面に障碍釘が無いのと同じ状態から立設盤面の水平方向に起立回動する過程で、釘が順次０度から９０度盤面を横切るように水平方向起立回動するため、盤面と平行な０度から盤面に起立する９０度間にわたって順次連続して釘が変化し、例えば１０度の時、３５度の時、７０度の時等、起立過程でも遊技球が障碍釘に当接し、各起立過程の釘に当接し弾発した状態において連続的に弾発先が異なり、連続的な釘の変化が得られる。
従って遊技球の変化もその時々の釘状態で、弾発し跳ね返る位置方向が異なり、盤面のどの位置に設置してあっても意外性のある遊技球変化が得られ、遊技球変化に興趣が増すパチンコ機が得られる。
【０００７】
また請求項２の、前記立設盤面の水平方向に回動する回動障碍釘は、特に入賞口の上部に遊技球が通過する間隔を隔てて２本対で設けたことを特徴とするパチンコ機である。
入賞口の入り口上部に回動する障碍釘を設けることによって、盤面を落下する遊技球が意外性を持って入賞口に入ったり入らなかったりし、従来の盤面に打設した動かない障碍釘に比べて、遊技者にとっては大きな興趣が得られる。
【０００８】
また請求項３は、前記入賞口の上部に２本対で設けた両方の障碍釘が互いに起立し、互いに傾倒することを特徴とするパチンコ機である。
この発明によって、両方の互いに起立傾倒する障碍釘の角度によっては、入賞口に入り易くなったり入り難くなったりするので大きな興趣が得られる。
また請求項４は、前記入賞口の上部に２本対で設けた障碍釘は、一方が起立すると他方が傾倒し、一方が傾倒すると他方が起立することを特徴とするパチンコ機である。
これによって、障碍釘に当接して弾発する遊技球の弾発先は、大きな弾発方向、弾発移動範囲が得られ、また通常とは異なる大きな意外性の方向に移動し、大きな興趣が得られる。
【０００９】
また請求項５は、前記立設盤面の水平方向に起立回動する回動障碍釘は、入賞口の入り口上部に１本設け、水平方向の０度から起立状態の９０度に、更に傾倒して水平状態の１８０度に回動する回動障碍釘を備えたことを特徴とするパチンコ機である。
これによって、１本の障碍釘で０度から１８０度まで回動が行われ、釘の変化が大きく変わり、これに当接して弾発する遊技球の変化も大きく変わり、しかも入賞口の入り口において大きな意外性が得られ、大きな興趣が得られる。
【００１０】
また請求項６は、前記立設盤面の水平方向に回動する回動障碍釘は、該回動障碍釘の先端が光るように光源を備えたことを特徴とするパチンコ機である。これによって、回動障碍釘の視認性が増し、大きな興趣が得られる。
また請求項７は、前記立設盤面の水平方向に回動する回動障碍釘は、該回動障碍釘にのれん状帯体を吊り下げるように設けたことを特徴とするパチンコ機である。
これによって、回動障碍釘の視認性が増すと共に、更に遊技球がのれん状帯体に当接すると、慣性力、衝撃力が急速に減退し、弾発方向、弾発位置、弾発力が大きく変化し、大きな意外性が得られ、大きな興趣が得られる。
【００１１】
また請求項８は、前記立設盤面の水平方向に回動する回動障碍釘は、複数本の障碍釘からなり、同じように回動することを特徴とするパチンコ機である。
複数本の障碍釘を同じように回動させることによって、例えば上下方向に複数本並ぶ回動障碍釘を設けた場合は、遊技球の弾発移動範囲が特定の方向に弾発して方向が制限され、遊技球を所定の位置へ誘導するのが容易になる。
また水平方向に複数本並ぶ回動障碍釘を設けた場合は、落下した遊技球が回動障碍釘に当接して大きく弾発し易く、遊技球の弾発移動位置が無制限に広がり、遊技者にとって大きな意外性が得られる。
また請求項９は、前記立設盤面の水平方向に回動する回動障碍釘は、該回動障碍釘に遊技球を障碍する障碍固定板を設けたことを特徴とするパチンコ機である。
前記複数本の回動障碍釘に代えて障碍固定板を固定した場合も前記と同様、方向によって、例えば上下方向に設けた場合は遊技球の弾発移動位置を誘導しやすく、また水平方向に設けると遊技球の弾発移動位置が制限し難く、代わりに弾発先に意外性を持たせるパチンコ機とすることができる。
【００１２】
【発明の実施の形態】
以下、本発明の実施の形態を図面に基づいて説明する。
図１、図２は本発明の第１実施例のパチンコ機を示す上面図で、図３，図４は本発明の第２実施例のパチンコ機を示す上面図で、図５，図６は本発明の第３実施例を示す正面図である。
図１，図２において、パチンコ機は遊技盤１とその前面に間隔をあけて配置されたガラス板２とを有し、遊技盤１とガラス板２との間を遊技球が落下する。遊技盤１の表面には、従来のものと同様の多数の障碍釘３が所定の釘配置パターンに従って打設されている。そして５、６は本発明の回動障碍釘で、遊技盤面上の入賞口の入り口上部に設けられている。また図では省略しているが、遊技盤面１には図示の回動障碍釘５、６，通常の多数打設された障碍釘３以外にも、風車や液晶図柄表示装置等、図示しない役物や入賞口が配設されている。
【００１３】
遊技盤面１の回動障碍釘５、６設置部には盤面上に切欠き部１１が形成され、水平方向に傾倒した回動障碍釘５，６が収納される。釘５，６の基端は歯車５１，６１に固定され、この歯車５１と６１は互いに噛み合っており、２本の回動障碍釘５，６が噛み合った歯車の間隔を離れて対に設置されている。また一方の回動障碍釘５の歯車５１が盤面に固定されたステッピングモータの駆動歯車４と噛み合っている。
図１のごとくステッピングモータの駆動歯車４が所定の回転数をゆっくりと右回転すると、歯車５１が左回転し、これに噛み合う歯車６１が右回転するので、図示のごとく両障碍釘５，６が盤面上水平状態から図２の起立状態まで順次立ち上がる。所定時間経過後、今度は図２のごとくステッピングモータの駆動歯車４が前記と逆に回転が行われると、両方の回動障碍釘５，６が図２の起立状態から図１のように順次傾倒し、最後に遊技盤面１の切欠き部１１内に水平状態に収納される。
【００１４】
図３，図４は本発明の第２実施例を示す回動障碍釘７，８で、本実施例の回動障碍釘７，８は基端が歯車７１，８１と固定されているが、歯車７１，８１は前記実施例のように互いに噛み合ってなく、両歯車７１，８１はステッピングモータの駆動歯車４に噛み合っている。
図３のごとくステッピングモータの駆動歯車４が所定の回転数をゆっくり右回転すると、歯車７１は左回転するので回動障碍釘７が図３の水平状態から図４の起立状態に立ち上がり、他方駆動歯車４の右回転に伴って歯車８１も左回転するので、回動障碍釘８が図３の起立状態から図４の傾倒状態に傾倒する。所定時間経過後、今度は図４のごとくステッピングモータの駆動歯車４が前記と逆に回転方向矢印のごとく左回転すると、歯車７１，８１も前記図３と逆に回転が行われ、図４の状態から図３のごとく回動障碍釘７が傾倒し、回動障碍釘８が起立する。このように回動釘７と８が交互に起立と傾倒が行われる。
【００１５】
また更に本発明の別の実施例を図５、図６に示す。図は遊技盤の入賞口１３の上部に遊技球が通る間隔をあけて本発明の回動障碍釘をそれぞれ２本ずつ上下に設けた正面図で、図５は障碍釘が盤面に起立している状態を、図６は障碍釘が盤面に傾倒して、遊技球から見ると開いている状態を示す。
本実施例では左右の回動障碍釘５，６の下部にもう１本ずつ補助回動障碍釘９、１０を設けた。上側の回動障碍釘５，６と下側の補助回動障碍釘９，１０は同じように回動し、上側の回動障碍釘５，６に布、紙、プラスチック等でできたのれん状帯体１２，１２を吊り下げた。また下側の補助回動障碍釘９，１０はこののれん状帯体１２，１２の外側に位置するように設けた。
【００１６】
これにより、盤面を落下移動する遊技球が釘５，９また釘６，１０の外側からのれん状帯体１２を押しのけて入賞口１３に入賞する。しかし釘５，６また釘９，１０間に入った遊技球が、障碍釘５，６間の外へはのれん状帯体が移動しないので逃げ難い様になる。尚のれん状帯体１２とこの帯体１２に接する回動障碍釘９，１０の位置関係を前記の逆の配置にすることで釘の外から中へはのれん状帯体が移動し難くなるので、遊技球が入賞口に入り難いようになる。
また別の実施例として、前記のれん状帯体１２に代えて複数本の障碍釘にすることも可能である。更にのれん状帯体１２に代えて回動障碍釘５，９に固定したプラスチック板などの障碍固定板にすることも可能である。この際、前記複数本の障碍釘または障碍固定板は立設した遊技盤の上下方向に設けてもよく、また水平方向に設けてもよい。これによって前記障碍釘または障碍固定板は遊技球に対する障碍壁の役目をなし、遊技球の移動、方向を誘導する。
【００１７】
前記のれん状帯体１２は、遊技者が視認注目しやすい色柄に配色して、更に回動障碍釘５，６の起立傾倒動作を注目しやすく目立たせ、一層遊技者の興趣を持たせることができる。また、のれん状帯体１２の材料が布等の柔らかい場合は、遊技球が帯体１２に当接して遊技球の慣性力を吸収してしまうので、盤面を弾発落下する遊技球がこののれん状帯体１２によって遊技球の移動変化が大きく変わり、予期せぬ方向、速度に急激に変化して、遊技者に更に大きな意外性と興趣が得られる。
【００１８】
尚本発明の別の実施例として、前記の実施例では１個のステッピングモータの駆動歯車４で２本の障碍釘を起立、傾倒するように設けたが、各々の回動障碍釘毎にステッピングモータを作動させて、それぞれの回動障碍釘を別々に独立して起立傾倒するように設けてもよい。
また本発明の別の実施例として、前記の実施例では入賞口の入り口上部に、２本の回動釘を対で０から９０度起立回動するように設けたが、例えば遊技盤面上の入賞口の入り口上部に１本の回動障碍釘を設け、水平状態の０度から起立状態の９０度更に、更に傾倒して水平状態の１８０度に、１本の回動障碍釘を盤面上の水平方向１８０度回動して起立傾倒回動するように設けてもよい。
【００１９】
更に本発明の別の実施例として、本発明の回動障碍釘は通常の盤面に固定された障碍釘とは異なり、遊技者の視線を横切るように水平方向回動変化するため、遊技者が視認しやすく大きな興趣が得られるが、更にこの障碍釘を遊技者が注目しやすい色でカラー配色してもよく、また更にこの動く回動障碍釘の先端にＬＥＤを設けて点灯させ、カラー光源が動く様にして大きな興趣を得るようにしてもよい。
【００２０】
【発明の効果】
以上説明のように本発明のパチンコ機は、ガラス面に遊技球を衝突させることがないのでガラス面の損傷を防止し、また回動障碍釘が遊技者の視線を横切るように回動するので遊技者が回動障碍釘の動きを容易に視認できて興趣が得られ、また従来の出没釘に比べても遊技球に対して時々刻々連続的に大きな障碍変化が得られ、結果これに当接し弾発する遊技球も大きな移動変化が得られ、また回動障碍釘にのれん状帯体を設けることができて、更に大きな興趣が得られるパチンコ機である。
【図面の簡単な説明】
【図１】本発明の第１実施例を示すパチンコ機回動障碍釘の上面図で、回動障碍釘５，６が起立する前の状態を示す。
【図２】本発明の第１実施例を示すパチンコ機回動障碍釘の上面図で、回動障碍釘５，６が起立状態を示す。
【図３】本発明の第２実施例を示すパチンコ機回動障碍釘の上面図で、一方の回動障碍釘７が起立前の状態、他方の回動障碍釘８が起立している状態を示す。
【図４】本発明の第２実施例を示すパチンコ機回動障碍釘の上面図で、一方の回動障碍釘７が起立状態、他方の回動障碍釘８が起立前の状態を示す。
【図５】本発明の第３実施例を示すパチンコ機回動障碍釘の正面図で、障碍釘が盤面に起立している状態を示す。
【図６】本発明の第３実施例を示すパチンコ機回動障碍釘の正面図で、障碍釘が盤面に傾倒して、遊技球から見ると開いている状態を示す。
【符号の説明】
１  遊技盤
２  ガラス面
３  障碍釘
４  ステッピングモータの駆動歯車
５，６  第１実施例の回動障碍釘
７，８  第２実施例の回動障碍釘
９，１０  補助回動障碍釘
１１  遊技盤面の切欠き部
１２  のれん状帯体
５１，６１  歯車
７１，８１  歯車
【図１】
2004248929.tif 000003
【図２】
2004248929.tif 000004
【図３】
2004248929.tif 000005
【図４】
2004248929.tif 000006
【図５】
2004248929.tif 000007
【図６】
2004248929.tif 000008